(57)【要約】【課題】シュート式の光学選別機において選別精度を向上させる。【解決手段】光学選別機のシュートに粒状物を供給するためのロータリーバルブが提供される。このロータリーバルブは、回転軸線を中心として回転可能に構成されたフィードローラを備えている。フィードローラは、回転軸線を中心とする外周面を備えている。外周面には、粒状物を収容可能な凹部が形成されている。凹部の深さは、１．７ｍｍ以上、３．４ｍｍ未満である。【選択図】図３
2020070151.tif 000002
【特許請求の範囲】
【請求項１】
光学選別機のシュートに粒状物を供給するためのロータリーバルブであって、
回転軸線を中心として回転可能に構成されたフィードローラを備え、
前記フィードローラは、前記回転軸線を中心とする外周面を備え、
前記外周面には、前記粒状物を収容可能な凹部が形成されており、
前記凹部の深さは、１．７ｍｍ以上、３．４ｍｍ未満である
ロータリーバルブ。
【請求項２】
光学選別機のシュートに粒状物を供給するためのロータリーバルブであって、
回転軸線を中心として回転可能に構成されたフィードローラを備え、
前記フィードローラは、前記回転軸線を中心とする外周面を備え、
前記外周面には、前記粒状物を収容可能な、所定の深さを有する凹部が形成されており、
前記所定の深さは、該所定の深さ内において、前記粒状物を１つ収容可能であるが深さ方向に２つ以上並べることができないように設定された
ロータリーバルブ。
【請求項３】
請求項１または請求項２に記載のロータリーバルブであって、
前記外周面は、前記回転軸線に平行な方向に延在する第１の隔壁であって、前記凹部を前記フィードローラの回転方向に沿った複数の領域に区画する第１の隔壁を備える
ロータリーバルブ。
【請求項４】
請求項１ないし請求項３のいずれか一項に記載のロータリーバルブであって、
前記外周面は、前記フィードローラの回転方向に延在する第２の隔壁であって、前記凹部を前記回転軸線に平行な方向に沿った複数の領域に区画する第２の隔壁を備える
ロータリーバルブ。
【請求項５】
請求項１または請求項２に記載のロータリーバルブであって、
前記凹部は、前記回転軸線に平行な方向に延在する第１の隔壁と、該第１の隔壁と交差し、前記フィードローラの回転方向に延在する第２の隔壁と、によって、複数の領域に区画されており、
前記複数の領域の各々は、前記回転方向の長さが５．０ｍｍ以上、１０．０ｍｍ未満であり、前記回転軸線に平行な方向の幅が２．６ｍｍ以上、５．２ｍｍ未満である
ロータリーバルブ。
【請求項６】
請求項１または請求項２に記載のロータリーバルブであって、
前記凹部は、前記回転軸線に平行な方向に延在する第１の隔壁と、該第１の隔壁と交差し、前記フィードローラの回転方向に延在する第２の隔壁と、によって、複数の領域に区画されており、
前記複数の領域の各々は、前記粒状物を１つ収容可能であるが、２つ以上は収容可能ではない大きさを有している
ロータリーバルブ。
【請求項７】
請求項１ないし請求項６のいずれか一項に記載のロータリーバルブであって、
前記フィードローラに対向するように設けられ、該フィードローラと反対方向に回転可能に構成された補助ローラを備え、
前記フィードローラと前記補助ローラとの隙間は、前記粒状物の１粒分の厚みよりも小さい
ロータリーバルブ。
【請求項８】
請求項７に記載のロータリーバルブであって、
前記補助ローラの表面は、弾性部材によって形成されている
ロータリーバルブ。
【請求項９】
請求項１ないし請求項８のいずれか一項に記載のロータリーバルブであって、
前記外周面に対向して設けられ、前記凹部内まで延在する掻き出し爪を備える
ロータリーバルブ。
【請求項１０】
粒状物用の光学選別機であって、
前記粒状物を流下させるためのシュートと、
前記シュート上に粒状物を供給するための請求項１ないし請求項９のいずれか一項に記載のロータリーバルブと
を備える光学選別機。
【請求項１１】
請求項１０に記載の光学選別機であって、
前記フィードローラに近接して設けられた吸引口と、
前記吸引口に連通する吸引ファンと
を備える光学選別機。
【請求項１２】
請求項４ないし請求項６のいずれか一項を従属元に含む請求項１０または請求項１１に記載の光学選別機であって、
前記シュートは、前記粒状物を流下させるための流下面を備え、
前記流下面は、前記第２の隔壁に対応する位置に設けられ、前記流下面に沿って上下方向に延在する第３の隔壁を備える
光学選別機。
【発明の詳細な説明】
【技術分野】
【０００１】
本発明は、光学選別機のシュートに粒状物を供給するためのロータリーバルブ、および、光学選別機に関する。
【背景技術】
【０００２】
粒状物を選別する装置として、シュート式の光学選別機が知られている（例えば、下記の特許文献１）。かかる光学選別機では、供給装置によって粒状物がシュート上に定量供給される。供給された粒状物は、シュート上を流下され、シュート下流端から落下する。その際、粒状物は、光学的に検知され、良品であるか、それとも不良品であるかが判別される。そして、良品および不良品の一方がエジェクタノズルから噴射されたエアによって軌道を変えられる。その結果、良品と不良品とは、互いに異なる軌道で落下することになる。こうして、粒状物は、良品と不良品とに選別される。
【０００３】
上記の供給装置として、ロータリーバルブが知られている。公知のロータリーバルブは、回転方向に沿って等間隔で設けられた複数の凹部を備えている。凹部の各々には、多数の粒状物が収容される。ロータリーバルブの回転に伴って、凹部に収容された多数の粒状物がシュート上に供給される。
【先行技術文献】
【特許文献】
【０００４】
【特許文献１】特開２０１０−１４２６７８号公報
【発明の概要】
【発明が解決しようとする課題】
【０００５】
従来のロータリーバルブでは、凹部に収容された多数の粒状物が一度にシュート上に供給されるので、粒状物は、水平方向および上下方向の少なくとも一方において、他の粒状物と重なった状態、または、接触した状態でシュートから落下することがある。そのような状況が生じると、選別精度が低下する。例えば、エジェクタノズルから１つの粒状物に対してエアを噴射した際に、エアの噴射軌道上に他の粒状物が当該１つの粒状物と重なって存在すると、あるいは、１つの粒状物と他の粒状物とが接触した状態で存在すると、当該１つの粒状物と一緒に当該他の粒状物も軌道を変えられることがある（以下では、このような事象を「巻き添え誤射」とも呼ぶ）。このようなことから、シュート式の光学選別機において、巻き添え誤射を抑制して選別精度を向上することが求められる。
【課題を解決するための手段】
【０００６】
本発明は、上述の課題を解決するためになされたものであり、例えば、以下の形態として実現することが可能である。
【０００７】
本発明の第１の形態によれば、光学選別機のシュートに粒状物を供給するためのロータリーバルブが提供される。このロータリーバルブは、回転軸線を中心として回転可能に構成されたフィードローラを備えている。フィードローラは、回転軸線を中心とする外周面を備えている。外周面には、粒状物を収容可能な凹部が形成されている。凹部の深さは、１．７ｍｍ以上、３．４ｍｍ未満である。
【０００８】
かかるロータリーバルブは、厚みが１．７ｍｍ以上、３．４ｍｍ未満の粒状物（例えば、玄米、白米など）をシュート式の光学選別機に供給するのに好適である。このようなサイズの粒状物を光学選別機で処理する場合、複数の粒状物が、凹部の深さ方向に重なった状態で凹部内に収容されることがない。このため、凹部内に収容された粒状物をシュート上に供給する際も、複数の粒状物がシュート上で互いに重なることを抑制できる。したがって、巻き添え誤射を抑制して光学選別機の選別精度を向上できる。
【０００９】
本発明の第２の形態によれば、光学選別機のシュートに粒状物を供給するためのロータリーバルブが提供される。このロータリーバルブは、回転軸線を中心として回転可能に構成されたフィードローラを備えている。フィードローラは、回転軸線を中心とする外周面を備えている。外周面には、粒状物を収容可能な、所定の深さを有する凹部が形成されている。所定の深さは、所定の深さ内において、粒状物を１つ収容可能であるが深さ方向に２つ以上並べることができないように設定される。
【００１０】
かかるロータリーバルブによれば、複数の粒状物が、凹部の深さ方向に重なった状態で凹部内に収容されることがないので、第１の形態と同様に、光学選別機の選別精度を向上できる。
【００１１】
本発明の第３の形態によれば、第１または第２の形態において、外周面は、回転軸線に平行な方向に延在する第１の隔壁であって、凹部をフィードローラの回転方向に沿った複数の領域に区画する第１の隔壁を備えていてもよい。かかる形態によれば、粒状物は、複数の領域ごとに、少なくとも第１の隔壁の厚み分だけ回転方向に互いに離間した状態で、凹部内に収容される。このため、これらの粒状物がシュート上に供給される際も、シュート上において、粒状物は、複数の領域に対応する群ごとに、少なくとも第１の隔壁の厚みに対応する距離だけ上下方向に離間される。その結果、巻き添え誤射が抑制されるので、光学選別機の選別精度を向上できる。
【００１２】
本発明の第４の形態によれば、第１ないし第３のいずれかの形態において、外周面は、フィードローラの回転方向に延在する第２の隔壁であって、凹部を回転軸線に平行な方向に沿った複数の領域に区画する第２の隔壁を備えていてもよい。かかる形態によれば、粒状物は、複数の領域ごとに、少なくとも第２の隔壁の厚み分だけ回転軸線に平行な方向に互いに離間した状態で、凹部に収容される。このため、これらの粒状物がシュート上に供給される際も、シュート上において、粒状物は、複数の領域に対応する群ごとに、少なくとも第２の隔壁の厚みに対応する距離だけ水平方向に離間される。その結果、巻き添え誤射が抑制されるので、光学選別機の選別精度を向上できる。
【００１３】
本発明の第５の形態によれば、第１または第２の形態において、凹部は、回転軸線に平行な方向に延在する第１の隔壁と、第１の隔壁と交差し、フィードローラの回転方向に延在する第２の隔壁と、によって、複数の領域に区画されていてもよい。複数の領域の各々は、回転方向の長さが５．０ｍｍ以上、１０．０ｍｍ未満であり、回転軸線に平行な方向の幅が２．６ｍｍ以上、５．２ｍｍ未満であってもよい。かかる形態は、高さ（長手寸法）が５．０ｍｍ以上、１０．０ｍｍ未満であり、幅（短手寸法）が２．６ｍｍ以上、５．２ｍｍ未満の粒状物（例えば、玄米、白米など）をシュート式の光学選別機に供給するのに好適である。このようなサイズの粒状物を光学選別機で処理する場合、複数の領域には、それぞれ、１粒の粒状物のみが収容される。より具体的には、粒状物の各々は、少なくとも第１の隔壁の厚み分だけ回転方向に互いに離間した状態、かつ、少なくとも第２の隔壁の厚み分だけ回転軸線に平行な方向に互いに離間した状態で、凹部内に収容される。このため、これらの粒状物がシュート上に供給される際も、シュート上において、粒状物の各々は、上下方向および水平方向に離間される。その結果、巻き添え誤射を著しく低減することができる。
【００１４】
本発明の第６の形態によれば、第１または第２の形態において、凹部は、回転軸線に平行な方向に延在する第１の隔壁と、第１の隔壁と交差し、フィードローラの回転方向に延在する第２の隔壁と、によって、複数の領域に区画されていてもよい。複数の領域の各々は、粒状物を１つ収容可能であるが、２つ以上は収容可能ではない大きさを有していてもよい。かかる形態によれば、複数の領域には、それぞれ、１粒の粒状物のみが収容されるので、第５の形態と同様の効果を奏する。
【００１５】
本発明の第７の形態によれば、第１ないし第６のいずれかの形態において、ロータリーバルブは、フィードローラに対向するように設けられ、フィードローラと反対方向に回転可能に構成された補助ローラを備えていてもよい。フィードローラと補助ローラとの隙間は、粒状物の１粒分の厚みよりも小さくてもよい。かかる形態によれば、凹部内の粒状物の上に、凹部からはみ出すように別の粒状物が重なって配置された場合であっても、フィードローラと補助ローラとの隙間が粒状物の１粒分の厚みよりも小さいので、別の粒状物は、当該隙間を通ることが抑制される。このため、別の粒状物が凹部内の粒状物と同時にシュート上に供給されることが抑制される。つまり、複数の粒状物が、互いに重なった状態でシュート上に供給されることをいっそう抑制できる。しかも、かかる形態によれば、補助ローラは、フィードローラと反対方向に回転可能に構成される。このため、凹部内の粒状物の上に、凹部からはみ出すように別の粒状物が重なって配置された状態で、これらの粒状物がフィードローラと補助ローラとの間の隙間に供給されたとしても、フィードローラに対向して設けられる部材が静的である場合と比べて、これらの粒状物が損傷することを抑制できる。粒状物が食品の場合、粒状物の損傷は、食品の品質を低下させることがある。また、粒状物が細かく粉砕されると、光学選別機で適正に選別できなくなることがある。本形態によれば、そのような事象の発生を抑制できる。
【００１６】
本発明の第８の形態によれば、第７の形態において、補助ローラの表面は、弾性部材によって形成されていてもよい。かかる形態によれば、粒状物が損傷することをいっそう抑制できる。
【００１７】
本発明の第９の形態によれば、第１ないし第８のいずれかの形態において、ロータリーバルブは、外周面に対向して設けられ、凹部内まで延在する掻き出し爪を備えていてもよい。かかる形態によれば、粒状物が、凹部内に引っ掛かかり、シュート上に供給されることなく凹部内に留まったとしても、当該粒状物を掻き出し爪で凹部から除去することができる。
【００１８】
本発明の第１０の形態によれば、粒状物用の光学選別機が提供される。この光学選別機は、粒状物を流下させるためのシュートと、シュート上に粒状物を供給するための第１ないし第９のいずれかの形態のロータリーバルブと、を備えていてもよい。かかる形態によれば、第１ないし第９のいずれかの形態と同様の効果を奏する。
【００１９】
本発明の第１１の形態によれば、第１０の形態において、光学選別機は、フィードローラに近接して設けられた吸引口と、吸引口に連通する吸引ファンと、を備えていてもよい。かかる形態によれば、凹部内にダストが付着したとしても当該ダストを効率的に吸引して除去することができる。具体的には、本形態のフィードローラの凹部は、従来のフィードローラの凹部と比べて深さが非常に小さいので、凹部の底部と吸引口との距離が、従来と比べて著しく小さくなる。吸引口に吸引される空気の風速は、当該距離が小さくなるほど指数的に大きくなるので、本形態によれば、凹部の底部付近の空気を大きな風速で吸い込んで、効率的に集塵することができる。
【００２０】
本発明の第１２の形態によれば、第４ないし第６のいずれかの形態を含む第１０または第１１の形態において、シュートは、粒状物を流下させるための流下面を備えていてもよい。流下面は、第２の隔壁に対応する位置に設けられ、流下面に沿って上下方向に延在する第３の隔壁を備えていてもよい。かかる形態によれば、複数の粒状物が水平方向に互いに離間した状態でシュート上に供給された際に、当該離間状態をシュート上でも第３の隔壁によって確実に維持することができる。したがって、光学選別機の選別精度をいっそう向上できる。
【図面の簡単な説明】
【００２１】
【図１】本発明の一実施形態による選別機の概略断面図である。
【図２】図１の選別機が備えるロータリーバルブの拡大図である。
【図３】ロータリーバルブのフィードローラの断面図である。
【図４】図３の領域Ａ３の拡大図である。
【図５】ロータリーバルブの概略斜視図である。
【図６】シュートとロータリーバルブのフィードローラとの位置関係を示す図である。
【図７】シュート上を落下する米の様子を示す模式図である。
【図８】図２の領域Ａ１の拡大図である。
【図９】図２の領域Ａ２の拡大図である。
【発明を実施するための形態】
【００２２】
図１は、本発明の一実施形態による光学選別機１０（以下、単に選別機１０とも呼ぶ）の概略断面図である。選別機１０は、種々の粒状物（例えば、穀物、プラスチックなど）を光学的に選別するために使用することができる。以下では、特に説明がない場合には、粒状物として米（例えば、玄米）を選別するものとして選別機１０を説明する。
【００２３】
図１に示すように、選別機１０は、投入口２０と、タンク３０と、ロータリーバルブ４０と、光学選別部７０と、を備えている。投入口２０に投入された米は、搬送装置（図示省略）によってタンク３０に搬送される。タンク３０に貯留された米は、ロータリーバルブ４０によって定量ずつ切り出され、光学選別部７０において選別される。
【００２４】
光学選別部７０は、いわゆるシュート式であり、シュート７１を備えている。タンク３０からロータリーバルブ４０によってシュート７１上に定量供給された米は、シュート７１上を流下され、シュート７１の下流端から落下した際に、良品と不良品とに光学的に選別される。
【００２５】
具体的には、光学選別部７０は、検知部７２と、エジェクタノズル７３と、判断部（図示省略）と、を備えている。検知部７２は、シュート７１から落下した米に可視光線および近赤外線を照射し、米からの反射光または透過光を検知する。判断部は、検知部７２によって検知された光から得られる画像に基づいて、米が良品であるか、不良品であるかを米粒ごとに判断する。不良品であると判断された米は、エジェクタノズル７３から噴射されたエアによって軌道を変えられ、不良品排出樋に導かれ、その後、機外へ排出される。一方、良品であると判断された米は、軌道を変えることなく落下する。こうして、米は良品と不良品とに選別される。
【００２６】
図２は、図１に示したロータリーバルブ４０の拡大図である。ロータリーバルブ４０は、フィードローラ４１と、補助ローラ４２と、を備えている。フィードローラ４１は、その上部がタンク３０の下部に露出するように配置されている。フィードローラ４１は、回転軸線４３を中心として回転方向Ｄ１（本実施形態では、反時計回り方向）に回転可能に構成される。補助ローラ４２は、フィードローラ４１に対向するように配置されており、フィードローラ４１と反対方向（本実施形態では時計回り方向）に回転するように構成される。補助ローラ４２は、フィードローラ４１よりも小さい直径を有している。
【００２７】
図３は、回転軸線４３に直交する方向に沿ったフィードローラ４１の断面図である。図４は、図３に示す領域Ａ３の拡大図である。図３に示すように、ロータリーバルブ４０は、回転軸線４３を中心とする外周面４４を備えている。外周面４４には、米を収容可能な凹部４５が形成されている。凹部４５の深さ（図４の深さＤＥ１）は、当該深さ内において、粒状物を１つ収容可能であるが、深さ方向に２つ以上並べることができないように設定される。本実施例では、選別機１０は、米を選別するために使用される。米の厚みは、一般的に、１．７ｍｍ〜２．５ｍｍ程度である。このため、本実施例では、凹部４５の深さＤＥ１は、厚み１．７ｍｍの米が処理対象となる場合であっても、米を深さ方向に２つ以上並べることができないように、１．７ｍｍ以上、３．４ｍｍ未満に設定される。ただし、凹部４５の深さＤＥ１は、選別機１０の処理対象となる米の種類、または、他の種類の粒状物の大きさに応じて、適宜設定されてもよい。例えば、小麦の厚みは、一般的に１．４ｍｍ〜４．７ｍｍ程度であるから、処理対象が小麦である場合には、凹部４５の深さＤＥ１は、１．４ｍｍ以上、４．７ｍｍ未満に設定されてもよい。
【００２８】
図５に示すように、フィードローラ４１の外周面４４は、複数の第１の隔壁５０と、複数の第２の隔壁５１と、を備えている。第１の隔壁５０の各々は、回転軸線４３に平行な方向Ｄ２に延在している。これらの第１の隔壁５０によって、凹部４５は、フィードローラ４１の回転方向Ｄ１に沿った複数の領域に区画される。第２の隔壁５１の各々は、回転方向Ｄ１に延在しており、第１の隔壁５０と垂直に交差している。これらの第２の隔壁５１によって、凹部４５は、回転軸線４３に平行な方向Ｄ２に沿った複数の領域に区画される。複数の第１の隔壁５０は、回転方向Ｄ１に沿って等間隔で配置されている。同様に、第２の隔壁５１も、方向Ｄ２に沿って等間隔で配置されている。
【００２９】
本実施形態では、第１の隔壁５０と第２の隔壁５１とによって区切られた各領域（つまり、各々の凹部４５）は、米を１粒収容可能であるが、２粒以上は収容可能ではない大きさを有している。一般的に、米の寸法は、長さ（長手寸法）が５．０ｍｍ〜６．０ｍｍ程度、幅（短手寸法）が２．６ｍｍ〜３．４ｍｍ程度である。このため、本実施形態では、各領域の回転方向Ｄ１の長さＤＥ２は、５．０ｍｍ以上、１０．０ｍｍ未満に設定され、各領域の回転軸線４３に平行な方向Ｄ２の幅ＤＥ３は、２．６ｍｍ以上、５．２ｍｍ未満に設定される。ただし、長さＤＥ２および幅ＤＥ３は、選別機１０の処理対象となる米の種類、または、他の種類の粒状物の大きさに応じて、適宜設定されてもよい。例えば、一般的に、小麦の長さは４．５ｍｍ〜８．５ｍｍ程度であり、幅は１．４ｍｍ〜４．７ｍｍ程度であるから、処理対象が小麦である場合には、長さＤＥ２は、４．５ｍｍ以上、９．０ｍｍ未満に設定されてもよく、幅ＤＥ３は、４．７ｍｍ未満に設定されてもよい。
【００３０】
図５に示すように、フィードローラ４１のシャフトは、ギア４１ａに連結されている。また、補助ローラ４２のシャフトは、ギア４２ａに連結されている。ギア４１ａとギア４２ａとは、互いに噛み合うように構成されている。このため、モータ（図示省略）によって、フィードローラ４１を回転させると、その回転力は、ギア４１ａおよびギア４２ａを介して、補助ローラ４２に伝達される。その結果、補助ローラ４２は、フィードローラ４１の回転方向Ｄ１と反対方向に回転することになる。
【００３１】
かかるロータリーバルブ４０が回転方向Ｄ１に回転すると、タンク３０に貯留された米が凹部４５に順次収容される。そして、凹部４５に収容された米は、フィードローラ４１と補助ローラ４２との間からシュート７１上に送り出される。フィードローラ４１の回転速度を調節することによって、米に初速を調節可能である。米の初速を一定以上確保することによって、単位時間当たりのシュート７１上を落下される米の量を増大させることができる。したがって、選別機１０を大型化することなく、所望の処理能力を確保しやすい。
【００３２】
図６は、フィードローラ４１とシュート７１との位置関係を示す図である。図示するように、シュート７１のうちの、米を流下させるための流下面７４には、複数の第３の隔壁７５が形成されている。第３の隔壁７５は、流下面７４に沿って上下方向に延在している。この第３の隔壁７５の位置は、フィードローラ４１の第２の隔壁５１の位置に対応している。換言すれば、第３の隔壁７５の位置は、第２の隔壁５１の位置に整合している。
【００３３】
上述した選別機１０によれば、フィードローラ４１の凹部４５の深さＤＥ１は、当該深さ内において、米を１つ収容可能であるが、深さ方向に２つ以上並べることができないように設定されている。このため、複数の米が、凹部４５の深さ方向に重なった状態で凹部４５内に収容されることがない。したがって、フィードローラ４１および補助ローラ４２を回転させて、凹部４５内に収容された米をシュート７１上に供給する際も、複数の米がシュート７１上で互いに重なることを抑制できる。したがって、巻き添え誤射を抑制でき、選別機１０の選別精度を向上できる。
【００３４】
しかも、本実施形態では、凹部４５は、第１の隔壁５０と第２の隔壁５１とによって、米１粒のみを収容できる複数の領域に区切られている。このため、米の各々は、上下方向および水平方向に互いに離間した状態で凹部４５内に収容される。この米の離間状態は、米がシュート７１上に供給された後も維持される。
【００３５】
より詳しく説明すると、図７に示すように、凹部４５からシュート７１上に供給された米９０同士は、第１の隔壁５０の厚みよりも大きい離間距離７６だけ上下方向に離間される。また、凹部４５からシュート７１上に供給された米９０同士は、第２の隔壁５１の厚みよりも大きい離間距離７７だけ水平方向に離間される。このように、米９０の各々は、上下方向および水平方向に互いに離間した状態でシュート７１上を落下する。したがって、巻き添え誤射を著しく低減することができ、選別機１０の選別精度が向上する。
【００３６】
しかも、本実施形態では、シュート７１の流下面７４には、第３の隔壁７５が形成されているので、米９０同士の水平方向の離間距離７７を確実に維持することができる。したがって、選別機１０の選別精度がいっそう向上する。
【００３７】
図８は、図２に示す領域Ａ１の拡大図である。本実施形態では、選別機１０の筐体３１とフィードローラ４１との間の隙間の寸法ＤＥ５は、米粒１つ分の厚み程度に設定されている。このため、凹部４５内の米の上に、凹部４５からはみ出すように別の米が重なって配置された場合には、これらの２つの米が重なった状態で筐体３１とフィードローラ４１との間に進入することがあり得る。しかしながら、本実施形態では、補助ローラ４２とフィードローラ４１との間の隙間の寸法ＤＥ４は、米粒１つ分の厚みよりも小さく設定されている。このため、２つの米が重なった状態で筐体３１とフィードローラ４１との間に進入したとしても、凹部４５からはみ出している米が、補助ローラ４２とフィードローラ４１との間を通ることが抑制される。したがって、複数の米が、互いに重なった状態でシュート７１上に供給されることをいっそう抑制できる。この効果は、寸法ＤＥ４が小さくなるほど大きくなるので、寸法ＤＥ４は、例えば、米粒１つ分の厚みの半分以下に設定されてもよい。
【００３８】
また、本実施形態では、フィードローラ４１の周速度は、補助ローラ４２の周速度よりも大きく設定される。このため、２つの米が重なった状態で筐体３１とフィードローラ４１との間に進入したとしても、凹部４５からはみ出している米が補助ローラ４２とフィードローラ４１との間を通る際に、当該はみ出している米に対してブレーキ作用（すなわち、米がシュート７１側に供給されることを制限する作用）を働かせることができる。
【００３９】
さらに、本実施形態では、補助ローラ４２は、フィードローラ４１と反対方向に回転するように構成されているので、フィードローラ４１に対向して設けられる部材が静的である場合と比べて、２つの米が重なった状態で筐体３１とフィードローラ４１との間を通って補助ローラ４２に到達したとしても、これらの米が損傷することを抑制できる。しかも、補助ローラ４２の表面は、弾性部材（例えば、ゴム）によって形成されている。したがって、米が損傷することをいっそう抑制できる。
【００４０】
図９は、図２に示す領域Ａ１の拡大図である。図示するように、ロータリーバルブ４０は、掻き出し爪６０を備えている。掻き出し爪６０は、タンク３０をフィードローラ４１の回転の起点と捉えた場合、回転方向Ｄ１において、補助ローラ４２よりも後段に配置されている。この掻き出し爪６０は、外周面４４に対向して設けられ、凹部４５内まで延在している。かかる構成によれば、米が、凹部４５内に引っ掛かかり、フィードローラ４１と補助ローラ４２との間を通過した際にシュート７１上に供給されることなく、凹部４５内に留まったとしても、当該米を掻き出し爪６０によって凹部４５から除去することができる。掻き出し爪６０は、例えば、ブラシの形態で実施されてもよい。
【００４１】
さらに、図１に示すように、選別機１０は、フィードローラ４１に近接して設けられた吸引口８０と、吸引口８０に連通する吸引ファン８１と、を備えている。かかる構成によれば、凹部４５内にダストが付着したとしても当該ダストを効率的に吸引して除去することができる。具体的には、本実施形態のフィードローラ４１の凹部の深さＤＥ１は、従来のフィードローラの凹部の深さと比べて非常に小さいので、凹部４５の底部と吸引口８０との距離が、従来と比べて著しく小さくなる。一般的に、吸引口に吸引される空気の風速は、当該距離が小さくなるほど指数的に大きくなるので、この構成によれば、凹部４５の底部付近の空気を大きな風速で吸い込んで、効率的に集塵することができる。吸引した空気は、集塵機（図示省略）を通って機外へ排出されてもよい。
【００４２】
以上、本発明のいくつかの実施形態について説明してきたが、上記した発明の実施形態は、本発明の理解を容易にするためのものであり、本発明を限定するものではない。本発明は、その趣旨を逸脱することなく、変更、改良され得るとともに、本発明にはその均等物が含まれる。また、上述した課題の少なくとも一部を解決できる範囲、または、効果の少なくとも一部を奏する範囲において、特許請求の範囲および明細書に記載された各構成要素の組み合わせ、または、省略が可能である。
【００４３】
例えば、凹部４５は、米を２粒以上収容可能な大きさ（上述の長さＤＥ２および幅ＤＥ３）を有していてもよい。あるいは、第１の隔壁５０および第２の隔壁５１のいずれか一方または両方は、省略されてもよい。あるいは、第３の隔壁７５は、省略されてもよい。このような構成であっても、深い凹部を有するフィードローラを備える従来のロータリーバルブと比べて、巻き添え誤射を抑制することができる。また、補助ローラ４２は、モータ駆動されることなく、回転可能に構成されていてもよい。あるいは、補助ローラ４２は、省略されてもよい。この場合、別機１０の筐体３１とフィードローラ４１との間の隙間の寸法ＤＥ５を上述の寸法ＤＥ４（補助ローラ４２とフィードローラ４１との間の隙間の寸法）相当まで小さくしてもよい。この場合、筐体３１の表面は、弾性部材で形成されていてもよい。
【符号の説明】
【００４４】
１０…光学選別機
２０…投入口
３０…タンク
３１…筐体
４０…ロータリーバルブ
４１…フィードローラ
４１ａ…ギア
４２…補助ローラ
４２ａ…ギア
４３…回転軸線
４４…外周面
４５…凹部
５０…第１の隔壁
５１…第２の隔壁
６０…掻き出し爪
７０…光学選別部
７１…シュート
７２…検知部
７３…エジェクタノズル
７４…流下面
７５…第３の隔壁
７６，７７…離間距離
８０…吸引口
８１…吸引ファン
９０…米
Ｄ１…回転方向
【図１】
2020070151.tif 000003
【図２】
2020070151.tif 000004
【図３】
2020070151.tif 000005
【図４】
2020070151.tif 000006
【図５】
2020070151.tif 000007
【図６】
2020070151.tif 000008
【図７】
2020070151.tif 000009
【図８】
2020070151.tif 000010
【図９】
2020070151.tif 000011